(57)【要約】  本発明はカラー水位指示器つきの家庭用電気温水器で、外側、内容器を含む。外側にカラー水位指示器をつけ、カラー水位指示器の後は密封カラー・フィルターを使い、水位管の前は全反射円筒状反射鏡を用いている。カラー・フィルターの内壁に緑フィルターを使用し、全反射円筒状反射鏡の外側は赤フィルターを使用している。全反射円筒状反射鏡の前に凸レンズが取り付けられている。水位線がはっきりと目立つ。水がある時、緑色になっている。水がないとき、赤色になっている。
2007514939.tif 000002
【特許請求の範囲】
【請求項１】
カラー水位指示器つきの家庭用電気温水器であって、外側、内容器を含み、外側にカラー水位指示器をつけ、カラー水位指示器の後は密封カラー・フィルターを使い、水位管の前は全反射円筒状反射鏡を用い、カラー・フィルターの内壁に緑フィルターを使用し、全反射円筒状反射鏡の外側は赤フィルターを使用し、全反射円筒状反射鏡の前に凸レンズが取り付けられている、ことを特徴とする家庭用電気温水器。
【請求項２】
全反射円筒状反射鏡が半円の柱面体または三角柱の柱面体となっているカラー水位指示器つきの家庭用電気温水器。
【請求項３】
密封カラー・フィルターと全反射円筒状反射鏡によって構成されている形は四角形または円形となっているカラー水位指示器つきの家庭用電気温水器。
【請求項４】
密封カラー・フィルターは透過式になっており、即ち壁面が透明で、その外壁が緑フィルターを使用するカラー水位指示器つきの家庭用電気温水器。
【請求項５】
密封カラー・フィルターは反射構成になっており、即ち壁面の内側に緑フィルターを使用するカラー水位指示器つきの家庭用電気温水器。
【請求項６】
凸レンズが球面の柱体又は半円の柱体になっており、全反射円筒状反射鏡とともに一つになっているカラー水位指示器つきの家庭用電気温水器。
【請求項７】
凸レンズは凸面レンズを用い、全反射円筒状反射鏡の観察窓の方に設けられているカラー水位指示器つきの家庭用電気温水器。
【請求項８】
カラー・フィルターと全反射円筒状反射鏡は二つまたは全体で一つの固定継手になっているカラー水位指示器つきの家庭用電気温水器。
【請求項９】
密封カラー・フィルターが透明な管状になっており、全反射円筒状反射鏡が透明管の内部に固定されているカラー水位指示器つきの家庭用電気温水器。
【請求項１０】
家庭用電気温水器は、電気コーヒーメーター、電気コーヒーマシーン、電気湯たんぽ、電気釜、スチームアイロンなどの小型電気製品を含むカラー水位指示器つきの家庭用電気温水器。
【発明の詳細な説明】
【技術分野】
【０００１】
本発明は日常生活の家庭用品で、カラー水位指示器つきの家庭用電気温水器である。
【背景技術】
【０００２】
日常生活の中で、電気コーヒーメーター、電気コーヒーマシーン、電気湯たんぽ、電気釜、スチームアイロンなど小型電気製品がある。これらの小型家庭電気製品を使用しているうちに、器具の中の水がどんどん減っていくが、正確な残量が分からない。そして、器具に対してそのまま加熱した場合、火事になる危険性があるので、器具の中に十分な水がなければいけない。こういった問題を解決するために、小型電気製品に水位指示器をつけるようになった。水位指示器というのは、器具内の水容器とつなぐ透明な水位管のことである。中には、透明な水位管に、ボールなどを用いた水位計もある。但し、このような水位計は水がいっぱい入っている時とないときの区別をしにくい面がある。
【発明の開示】
【０００３】
本発明はカラー水位指示器を用い、ひと目で残量が確認できる家庭用電気温水器を搭載したさらに安全、便利な水位計を作ることを目的とする。
【０００４】
本発明が提供する技術案は外側、内容器を含む。その特徴は外側にカラー水位指示器をつけ、カラー水位指示器の後は密封カラー・フィルターを使い、水位管の前は全反射円筒状反射鏡を用いている。カラー・フィルターの内壁に緑フィルターを使用し、全反射円筒状反射鏡の外側は赤フィルターを使用している。全反射円筒状反射鏡の前に凸レンズが取り付けられている。
【０００５】
上記の全反射円筒状反射鏡は半円の柱面体または三角柱の柱面体となっている。
【０００６】
上記の密封カラー・フィルターと全反射円筒状反射鏡によって構成されている形は四角形または円形となっている。
【０００７】
上記の密封カラー・フィルターは透過式になっており、即ち壁面が透明で、その外壁が緑フィルターを使用する。
【０００８】
上記の密封カラー・フィルターは反射構成になっており、即ち壁面の内側に緑フィルターを使用する。
【０００９】
上記の凸レンズが球面の柱体又は半円の柱体になっており、全反射円筒状反射鏡とともに一つになっている。
【００１０】
上記の凸レンズは凸面レンズを用い、全反射円筒状反射鏡の観察窓の方に設けられている。
【００１１】
上記のカラー・フィルターと全反射円筒状反射鏡は二つの固定継手になってもよいし、両者が全体で一つになってもよい。
【００１２】
上記の密封カラー・フィルターが透明な管状になっており、全反射円筒状反射鏡が透明管の内部に固定されている。
【００１３】
本発明の長所は水位線がはっきりと目立つ。水がある時、緑色になっている。水がないとき、赤色になっている。便利な使用方法で、加熱し過ぎで、器具が壊れてしまうことを避けられる。
【具体的な実施方法】
【００１４】
図の１〜３を見ると、実施例１の具体的な構造は以下の通りとなっている：電気コーヒーメーターの外側１、 ２にカラー水位指示器３をつける。 カラー水位指示器３とパイプ５が底部にある連通管を通じて水容器とつなぐ。
【００１５】
図４、５を見ると、カラー水位指示器がガラス又はプラスチックなど透明な材料でできているため、密封カラー・フィルター７と半円の柱面体の全反射円筒状反射鏡１２で構成されたパイプの外形は円形となっている。凸レンズ８は球面の柱体となっており、密封カラー・フィルター７と全反射円筒状反射鏡１２とともに、一つになっている。密封カラー・フィルター７は透過式の構造を採用し、即ち透明な壁面の外側に緑のフィルター10を使用する。全反射円筒状反射鏡１２の外側に赤フィルター１１を使用する。全反射円筒状反射鏡１２の外側に小型電球又はその他の発光素子9を設ける。電球の外側にランプのかさ13を取りつける。
【００１６】
図6、7を見ると、実施例2の具体的な構造は実施例1と異なる：密封カラー・フィルター７と全反射円筒状反射鏡１２が一つに固定されている。密封カラー・フィルター７が非透明材料で作られ、その内壁に緑フィルターを使用している。取り付けに便利なために、密封カラー・フィルターの両端に枠を取り付ける。その他の構造は実施例1と同じである。
【００１７】
図8、9の実施例3の具体的な構造：カラー水位指示器3が透明材料でできている。密封カラー・フィルター７と三角柱の柱面体の全反射円筒状反射鏡１２でパイプを構成している。パイプの外形は断面の四角形になっている。凸レンズ８が半円の柱体で、密封カラー・フィルター７と全反射円筒状反射鏡１２とともに、一つになっている。密封カラー・フィルター７の外側が緑フィルター10を使用する。全反射円筒状反射鏡１２の外側が赤フィルター11を使用する。
【００１８】
図10の実施例4の具体的な構造：実施例3の構造と異なっている。密封カラー・フィルター７と全反射円筒状反射鏡１２が一つに固定されている。密封カラー・フィルター７が非透明材料で作られ、その内壁に緑フィルター10を使用している。その他の構造は実施例の3と同じである。
【００１９】
図11、12の実施例5の具体的な構造：カラー水位指示器が透明材料でできている。密封カラー・フィルター７と三角柱の柱面体の全反射円筒状反射鏡１２でパイプを構成している。パイプ外形の断面は円形になっている。密封カラー・フィルター７と全反射円筒状反射鏡12は一つなっている。密封カラー・フィルター７は透過式構造を採用し、即ち透明な壁面の外側に緑フィルター10を使用する。凸レンズ8は凸面レンズを用い、組立架15を通じて、全反射円筒状反射鏡１２の観察窓のほうに設けられている。その他の構造は実施例の1と同じである。
【００２０】
図13の実施例6の具体的な構造：実施例3の構造と異なっている。密封カラー・フィルター７と全反射円筒状反射鏡１２が一つに固定されている。密封カラー・フィルター７が非透明材料で作られ、その内壁に緑フィルターを使用している。取り付けに便利なために、密封カラー・フィルターの両端に枠を取り付ける。凸レンズ8は凸面レンズを用い、組立架15を通じて、全反射円筒状反射鏡１２の観察窓の方に設けられている。その他の構造は実施例の5と同じである。
【００２１】
図14の実施例7の具体的な構造：カラー水位指示器3が透明材料でできている。密封カラー・フィルター７と三角柱の柱面体の全反射円筒状反射鏡１２でパイプを構成している。パイプの外形は断面の四角形になっている。密封カラー・フィルター７と全反射円筒状反射鏡12は一つなっている。凸レンズ8は凸面レンズを用い、組立架15を通じて、全反射円筒状反射鏡１２の観察窓の方に設けられている。その他の構造は実施例の5と同じである。
【００２２】
図15の実施例8の具体的な構造：実施例7の構造と異なっている。密封カラー・フィルター７と全反射円筒状反射鏡１２が一つに固定されている。密封カラー・フィルター７が非透明材料で作られ、その内壁に緑フィルター10を使用している。その他の構造は実施例の7と同じである。
【００２３】
図16の実施例9の具体的な構造：密封カラー・フィルター７が透明の管の形になっており、半円の柱面体の全反射円筒状反射鏡１２が透明管の内部に固定されている。緑フィルター10と赤フィルター11がそれぞれ密封カラー・フィルター７の後ろの外側と内側に塗られている。凸レンズ8は凸面レンズを用い、その他の構造は実施例の5と同じである。
【００２４】
図17の実施例10の具体的な構造：密封カラー・フィルター７が透明の四角の管の形になっており、三角柱の柱面体の全反射円筒状反射鏡１２が透明管の内部に固定されている。緑フィルター10と赤フィルター11がそれぞれ密封カラー・フィルター７の後ろの外側と内側に塗られている。凸レンズ8は凸面レンズを用い、その他の構造は実施例の5と同じである。
【００２５】
図18  本発明が電気魔法瓶16に応用され、魔法瓶16の外側に観察窓17があり、カラー水位指示器3がその中に取り付けられている。
【００２６】
図１９  本発明がスチームアイロン18に応用され、カラー水位指示器3が取り付けられている。
【図面の簡単な説明】
【００２７】
【図１】発明の実施例１の構造説明図
【図２】実施例１の電気コーヒーメーターの外側にカラー水位指示器をつけた説明図
【図３】カラー水位指示器の底部と水容器とのつなぎ説明図
【図４】カラー水位指示器の構造説明図
【図５】図４のA――Aの断面の説明図
【図６】本発明の実施例２の構造説明図
【図７】図６のB――Bの断面の説明図
【図８】本発明の実施例３の構造説明図
【図９】図７のC――Cの断面の説明図
【図１０】本発明の実施例４の構造説明図
【図１１】本発明の実施例５の構造説明図
【図１２】図１１のD――Dの断面の説明図
【図１３】本発明の実施例６の構造説明図
【図１４】本発明の実施例７の構造説明図
【図１５】本発明の実施例８の構造説明図
【図１６】本発明の実施例９の構造説明図
【図１７】本発明の実施例１０の構造説明図
【図１８】本発明を電気魔法瓶に応用した説明図
【図１９】本発明をスチームアイロンに応用した説明図
【図１】
2007514939.tif 000003
【図２】
2007514939.tif 000004
【図３】
2007514939.tif 000005
【図４】
2007514939.tif 000006
【図５】
2007514939.tif 000007
【図６】
2007514939.tif 000008
【図７】
2007514939.tif 000009
【図８】
2007514939.tif 000010
【図９】
2007514939.tif 000011
【図１０】
2007514939.tif 000012
【図１１】
2007514939.tif 000013
【図１２】
2007514939.tif 000014
【図１３】
2007514939.tif 000015
【図１４】
2007514939.tif 000016
【図１５】
2007514939.tif 000017
【図１６】
2007514939.tif 000018
【図１７】
2007514939.tif 000019
【図１８】
2007514939.tif 000020
【図１９】
2007514939.tif 000021
【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
カラー水位指示器つきの家庭用電気温水器であって、外側、内容器を含み、外側にカラー水位指示器をつけ、カラー水位指示器の後は密封カラー・フィルターを使い、水位管の前は全反射円筒状反射鏡を用い、カラー・フィルターの内壁に緑フィルターを使用し、全反射円筒状反射鏡の外側は赤フィルターを使用し、全反射円筒状反射鏡の前に凸レンズが取り付けられている、ことを特徴とする家庭用電気温水器。
【請求項２】
密封カラー・フィルターと全反射円筒状反射鏡によって構成されている形は四角形または円形となっているカラー水位指示器つきの家庭用電気温水器。
【請求項３】
密封カラー・フィルターは透過式になっており、即ち壁面が透明で、その外壁が緑フィルターを使用するカラー水位指示器つきの家庭用電気温水器。
【請求項４】
密封カラー・フィルターは反射構成になっており、即ち壁面の内側に緑フィルターを使用するカラー水位指示器つきの家庭用電気温水器。
【請求項５】
凸レンズが球面の柱体又は半円の柱体になっており、全反射円筒状反射鏡とともに一つになっているカラー水位指示器つきの家庭用電気温水器。
【請求項６】
凸レンズは凸面レンズを用い、全反射円筒状反射鏡の観察窓の方に設けられているカラー水位指示器つきの家庭用電気温水器。
【請求項７】
カラー・フィルターと全反射円筒状反射鏡は二つ、または全体で一つの固定継手になっているカラー水位指示器つきの家庭用電気温水器。
【請求項８】
密封カラー・フィルターが透明な管状になっており、全反射円筒状反射鏡が透明管の内部に固定されているカラー水位指示器つきの家庭用電気温水器。
【請求項９】
家庭用電気温水器は、電気コーヒーメーター、電気コーヒーマシーン、電気湯たんぽ、電気釜、スチームアイロンなどの小型電気製品を含むカラー水位指示器つきの家庭用電気温水器。
【請求項１０】
全反射円筒状反射鏡の上下に照明がつけられているカラー水位指示器つきの家庭用電気温水器。
【国際調査報告】
2007514939.tif 000022
2007514939.tif 000023
2007514939.tif 000024
2007514939.tif 000025